【事件の表示】
　特願２０００−１２７７３５「弾球遊技機」拒絶査定に対する審判事件［平成１２年１１月２１日出願公開、特開２０００−３１７０９６］について、次のとおり審決する。
【結　論】
　本件審判の請求は、成り立たない。
【理　由】
１．手続の経緯・本願発明
　本願は、平成４年１２月１２日に出願した特願平０４−３５３２９１号の一部を平成７年１月３１日に新たな特許出願とした特願平０７−０３６０１６号の一部を平成１２年４月２７日に新たな特許出願としたものであって、その請求項１及び２に係る発明は、平成１４年１０月３０日付けの手続補正書及び審判請求に伴って提出された平成１５年５月２３日付けの手続補正書によって補正された明細書及び図面の記載からみて、その特許請求の範囲の請求項１及び２に記載された「弾球遊技機」にあると認められるところ、その請求項１に記載された発明（以下、「本願発明」という。）は次のとおりのものである。
　
「遊技盤(5) の裏側に、左右方向の一端側が低くなる傾斜底壁(49)を有し且つ入賞口(41)から遊技盤(5) の裏側に案内された入賞球(A) を貯留する入賞球タンク(39)と、内部側の通路が傾斜底壁(49)の左右方向の一端側で入賞球タンク(39)内に下側から連通し且つ傾斜底壁(49)の下側で左右方向の他端側が低くなるように傾斜する入賞球タンクレール(42)とを備え、入賞球(A) を入賞球タンク(39)から入賞球タンクレール(42)内の通路を経て外部に回収するようにした弾球遊技機において、入賞球タンク(39)の左右方向の中間に位置する入賞球タンクレール(42)の下流側端部に、該入賞球タンクレール(42)内の入賞球(A) が落ちる球落とし口(51)と、該球落とし口(51)の入賞球(A) を検出する入賞球検出スイッチ(46)とを設け、傾斜底壁(49)の下側において入賞球タンク(39)の左右方向の他端と入賞球タンクレール(42)の下流側端部との間で、球落とし口(51)及びこれに至る通路を形成する入賞球タンクレール(42)の外側に配置されて球落とし口(51)に対し入賞球タンクレール(42)の外側から出退する球落としアーム(52)を有し、且つ入賞球検出スイッチ(46)が入賞球(A) を検出したときの球落としアーム(52)の作動により入賞球タンクレール(42)内の入賞球(A) を球落とし口(51)から１個づつ落とす入賞球落とし手段(43)を配置し、球落としアーム(52)を入賞球タンクレール(42)の外側に配置された枢支ピン(55)により球落とし口(51)に対して出退方向に揺動自在に枢支し、球落とし口(51)から落ちる入賞球(A) を外部へと排出して回収するための球排出通路(47)を背面から視て上下方向に略真っ直ぐに設けたことを特徴とする弾球遊技機。」
　
　
２．引用刊行物記載の発明
　これに対して、原査定の拒絶の理由に引用された、本願の出願日前である平成４年２月１２日に頒布された特開平４−４０９８５号公報（以下、「引用刊行物」という。）には、図面と共に次の事項が記載されている。
　
（１−１）「〔従来の技術〕
・・・第５，６図に示すように、このセーフ球カウント装置はソレノイド３１の励磁により可動鉄片３２を吸引して回動させるとともに、その可動鉄片３２の回動に連動して回動部材３３を回動させるようになっている。」（第１ページ右下欄第１１〜１９行）
　
（１−２）「ソレノイド３１の励磁に応じて第５図に示すように可動鉄片３２の先端をセーフ球通路３４内に突出させた状態と、第６図に示すように回動部材３３の一側をセーフ球通路３４内に突出させた状態とを交互に繰り返し、その出没動作に伴って順次落下するセーフ球Ｂをセーフ球センサ３５が検出して賞球の払出し等を実行させるようになっている。」（第１ページ右下欄第２０行〜第２ページ左上欄第７行）
　
（１−３）第５図及び第６図には、セーフ球通路３４が、上流側の傾斜部と下流側の垂直部を有すること、傾斜部と垂直部との接続部にセーフ球センサ３５が設けられることが示されている。
　
（１−４）「本発明は・・・パチンコ機のセーフ球カウント装置において・・・回動部材に前記第１のストッパを設けるとともに・・・第２のストッパを設けたパチンコ機のセーフ球カウント装置を要旨とする」（第２ページ右上欄第９行〜同左下欄第４行）
　
（１−５）「〔実施例〕
　以下、この発明を具体化した一実施例を第１〜４図に従って説明する。
　第２図はパチンコ機の前面枠の裏面を示す正面図である。この図に示すように、前面枠１の裏面には合成樹脂製のセット板２が取着され」（第２ページ右下欄第５〜１０行）
　
（１−６）「セット板２の下側には集合路４が設けられ、その集合路４の下流側にはセーフ球カウント装置５が設置されている。」（第２ページ右下欄第１２〜１５行）
　
（１−７）「遊技中において各入賞口６に入球したセーフ球Ｂは、前面枠１の裏面側に導かれて集合路４にて集合された後に前記セーフ球カウント装置５内に導入されるようになっている。」（第２ページ右下欄第１５〜１８行）
　
（１−８）「入賞口６にセーフ球Ｂが入球してセーフ球通路８内に導かれると・・・セーフ球Ｂがセーフ球センサ２０にて検出されて同センサ２０がオンする。・・・コントローラはセーフ球センサ２０からのオン信号を入力してソレノイド１３を励磁し・・・セーフ球１個のみがセーフ球通路８内を落下して・・・球回収部に回収される。」（第３ページ右下欄第５行〜第４ページ左上欄第１行）
　
（１−９）第２図には集合路４が上下に２つ記載され、上側集合路４は左側が右側よりも低くなるように傾斜し、下側集合路４は左側よりも右側が低くなるように傾斜しており、下側集合路４と上側集合路４との間の空間は、上側集合路４の左側で上側集合路４の上方の空間に下側から連通していることが示されている。
　
　上記記載事項（１−１）乃至（１−３）は「従来の技術」に関する記載であり、（１−５）乃至（１−９）は「実施例」に関する記載である。上記記載事項（１−１）乃至（１−３）では、「従来の技術」におけるセーフ球カウント装置以外のパチンコ機の構成及びセーフ球センサ３５の検出とソレノイド３１の励磁との関係が明確ではないが、上記記載事項（１−４）に記載されているように、「実施例」の基となる発明はセーフ球カウント装置の回動部材を改良しようとするものであるから、「従来の技術」と「実施例」とにおいて、セーフ球カウント装置以外のパチンコ機の構成及びセーフ球センサ（３５又は２０）の検出とソレノイド（３１又は１３）の励磁との関係は共通するものとして当業者は理解すると認められる。
　
　よって、上記記載事項（１−１）乃至（１−９）及び図面の記載によると、引用刊行物には、
「パチンコ機の前面枠１の裏面に取着されたセット板２の下側に、各入賞口６に入球し、前面枠１の裏面側に導かれたセーフ球Ｂを集合させる集合路４を設け、集合路４は左側が右側よりも低くなるように傾斜した上側集合路４と、左側よりも右側が低くなるように傾斜する下側集合路４とを備え、下側集合路４と上側集合路４との間の空間は、上側集合路４の左側で上側集合路４の上方の空間に下側から連通しており、集合路４にて集合されたセーフ球Ｂはセーフ球通路３４内を落下して球回収部に回収されるようにしたパチンコ機において、
セーフ球通路３４の傾斜部の下流側端部に、セーフ球Ｂを検出するセーフ球センサ３５を設け、
上側集合路４の下側においてセーフ球通路３４の傾斜部の下流側に、下側集合路４及びセーフ球通路３４の傾斜部の外側に配置されて、セーフ球通路３４の傾斜部の下流側端部に対して下側集合路４及びセーフ球通路３４の傾斜部の外側から出没する可動鉄片３２及び回動部材３３を有し、セーフ球センサ３５がセーフ球Ｂを検出したときのソレノイド３１の励磁に応じた可動鉄片３２及び回動部材３３の出没動作に伴ってセーフ球通路３４の傾斜部内のセーフ球Ｂを順次落下させるセーフ球カウント装置を配置したパチンコ機。」
の発明（以下、「引用刊行物記載の発明」という。）が記載されていると認められる。
　
　
３．対比
　本願発明と引用刊行物記載の発明を対比すると、引用刊行物記載の発明における「パチンコ機の前面枠１の裏面に取着されたセット板２の下側」、「入賞口６」、「セーフ球Ｂを集合させる」、「前面枠１の裏面側」、「セーフ球Ｂ」、「左側」、「右側」、「上側集合路４」、「下側集合路４及びセーフ球通路３４の傾斜部」、「下側集合路４と上側集合路４との間の空間」、「上側集合路４及びその上方の空間」、「球回収部に回収」、「セーフ球センサ３５」、「出没動作」、「順次落下させる」、「セーフ球カウント装置」、「パチンコ機」が、本願発明における「遊技盤の裏側」、「入賞口」、「入賞球を貯留する」、「遊技盤の裏側」、「入賞球」、「左右方向の一端側」、「左右方向の他端側」、「傾斜底壁」、「入賞球タンクレール」、「内部側の通路」、「入賞球タンク」、「外部に回収」、「入賞球検出スイッチ」、「作動」、「１個づつ落とす」、「入賞球落とし手段」、「弾球遊技機」にそれぞれ対応する。
　また、引用刊行物記載の発明における「可動鉄片３２及び回動部材３３」と本願発明における「球落としアーム」とは、セーフ球Ｂ又は入賞球の落下を阻止したり許容したりするストッパとして共通している。
　なお、引用刊行物記載の発明において、セーフ球通路３４の傾斜部の下流側端部に本願発明における「球落とし口」に相当する開口が存在することは明らかである。
　よって、次の一致点において両者の構成は一致し、次の各相違点において両者の構成は相違する。
　
　一致点：遊技盤の裏側に、左右方向の一端側が低くなる傾斜底壁を有し且つ入賞口から遊技盤の裏側に案内された入賞球を貯留する入賞球タンクと、内部側の通路が傾斜底壁の左右方向の一端側で入賞球タンク内に下側から連通し且つ傾斜底壁の下側で左右方向の他端側が低くなるように傾斜する入賞球タンクレールとを備え、入賞球を入賞球タンクから入賞球タンクレール内の通路を経て外部に回収するようにした弾球遊技機において、入賞球タンクレールの下流側端部に、該入賞球タンクレール内の入賞球が落ちる球落とし口と、該球落とし口の入賞球を検出する入賞球検出スイッチとを設け、傾斜底壁の下側に、球落とし口及びこれに至る通路を形成する入賞球タンクレールの外側に配置されて球落とし口に対し入賞球タンクレールの外側から出退するストッパを有し、且つ入賞球検出スイッチが入賞球を検出したときのストッパの作動により入賞球タンクレール内の入賞球を球落とし口から１個づつ落とす入賞球落とし手段を配置した弾球遊技機である点。
　
　相違点１：入賞球タンクレールの下流側端部の位置に関して、本願発明においては、入賞球タンクの左右方向の中間に入賞球タンクレールの下流側端部が位置するのに対し、引用刊行物記載の発明においては、入賞球タンク（上側集合路４）の右端位置が不明瞭なので、入賞球タンクの左右方向の中間に入賞球タンクレール（セーフ球通路３４の傾斜部）の下流側端部が位置するか否かが不明である点。
　
　相違点２：入賞球落とし手段の配置に関して、本願発明においては、入賞球タンクの左右方向の他端と入賞球タンクレールの下流側端部との間に入賞球落とし手段を配置しているのに対し、引用刊行物記載の発明においては、入賞球タンク（上側集合路４）の右端位置が不明瞭なので、入賞球タンクの左右方向の他端と入賞球タンクレール（セーフ球通路３４の傾斜部）の下流側端部との間に入賞球落とし手段が配置されているか不明である点。
　
　相違点３：ストッパに関して、本願発明においては、入賞球タンクレールの外側に配置された枢支ピンにより球落とし口に対して出退方向に揺動自在に枢支された球落としアームによりストッパを構成しているのに対し、引用刊行物記載の発明においては、下側集合路４及びセーフ球通路３４の傾斜部の外側から出没する可動鉄片３２及び回動部材３３によりストッパを構成している点。
　
　相違点４：球排出通路に関して、本願発明においては、球落とし口から落ちる入賞球を外部へと排出して回収するための球排出通路を背面から視て上下方向に略真っ直ぐに設けているのに対し、引用刊行物記載の発明においては、入賞球（セーフ球Ｂ）を外部へと排出して回収するための構成が不明な点。
　
　
４．当審の判断
（１）相違点１について
　引用刊行物記載の発明における入賞球タンクレール（下側集合路４）と入賞球タンク（上側集合路４）との左右方向の位置関係は、入賞球タンク（上側集合路４）及び入賞球落とし手段（セーフ球カウント装置５）の大きさ等により定まるものであるが、これらの大きさは遊技盤の裏側に配置する他の部材との関係を考慮して適宜設定し得る事項であり、本願発明の如くした点に格別の効果もないので、入賞球タンクの左右方向の中間に入賞球タンクレールの下流側端部が位置するように入賞球タンクレールを配置することは、当業者にとって格別な困難性を要することとは認められない。
　
（２）相違点２について
　引用刊行物記載の発明における入賞球落とし手段（セーフ球カウント装置５）の左右方向位置は、入賞球タンクレール（下側集合路４）の一端から他端までの長さをどうするかにより定まるものであるが、この長さは遊技盤の裏側に配置する他の部材との関係を考慮して適宜設定し得る事項であり、本願発明の如くした点に格別の効果もないので、入賞球タンクの左右方向の他端と入賞球タンクレールの下流側端部との間に入賞球落とし手段を配置することは、当業者にとって格別な困難性を要することとは認められない。
　
（３）相違点３について
　弾球遊技機の入賞球処理装置（入賞球落とし手段）において、レール（通路）の外側に配置された枢支ピンにより球落とし口に対して出退方向に揺動自在に枢支した球落としアームによってストッパを構成することは、例えば、特開平４−７１５７６号公報及び特開平４−１７４６９１号公報（第６図参照。）に記載されているように本願出願前において周知であるので、引用刊行物記載の発明における入賞球落とし手段（セーフ球カウント装置）に上記周知技術を適用して上記相違点３における本願発明のような構成とすることは、当業者であれば容易に想到し得るものである。
　
（４）相違点４について
　弾球遊技機において、入賞球を外部へと排出して回収するために球排出通路を設けることは例を示すまでもなく周知であり、その形状は入賞球の排出効率や遊技盤の裏側に配置する他の部材との位置関係を考慮して適宜設定し得る事項であり、本願発明の如くした点に格別の効果もないので、球排出通路を背面から視て上下方向に略真っ直ぐに設けることは、当業者にとって格別な困難性を要することとは認められない。
　
（５）本願発明の作用効果について　
　本願発明の作用効果は、引用刊行物記載の発明及び上記周知技術に基づいて当業者が容易に予測できるものである。
　
　よって、本願発明は、引用刊行物記載の発明に基づいて当業者が容易に発明をすることができたものである。
　
５．むすび
　したがって、本願請求項１に係る発明は、引用刊行物に記載された発明に基づいて当業者が容易に発明をすることができたものであるので、特許法第２９条第２項の規定により特許を受けることができない。
　よって、結論のとおり審決する。